(57)【特許請求の範囲】
【請求項１】
合成樹脂材料からなるシート状成形体に熱成形により形成され表面側に突出する多数の膨らみ部を備え、多数の各膨らみ部の内側の凹部に被収納物を入れた状態でシート状成形体裏面の凹部の開口部を閉じるように合成樹脂材料からなる積層フィルムを使用してこの積層フィルムをシート状成形体に対し小さな接合力で剥離可能に接合し、前記各凹部の開口部を囲む位置で積層フィルムの裏面側より積層フィルムを厚み方向に貫通するがシート状成形体を厚み方向に貫通しないように切り込みを形成し、この切り込みで囲まれた積層フィルム部分の外周はシート状成形体の開口部の外周近傍部分に接合されていることを特徴とする包装体。
【発明の詳細な説明】
【０００１】
【発明の属する技術分野】
本発明は例えば薬の錠剤、粒状の菓子（例えばラムネやチョコレートなど）などを包装するための包装体に関するものである。
【０００２】
【従来の技術】
従来、例えば薬の錠剤を包装するための包装体としては、一般的には透明な合成樹脂材料からなり熱成形により表面側に多数の膨らみ部を形成したシート状成形体の前記多数の各膨らみ部の内側の凹部に錠剤を入れ、この状態でシート状成形体裏面の凹部の開口部を閉じるようにシート状成形体裏面全体に亘ってアルミニウム箔を貼り付けてなるものが知られている。
【０００３】
そして、この従来の包装体に収納される錠剤を包装体より取り出すときは、１つの膨らみ部を裏面側に向かって指で押すことによって膨らみ部の内側の凹部の開口部を閉じているアルミニウム箔が錠剤の押し出し力によって破れて凹部が開口し、この開口部より取り出すことができるものである。
【０００４】
このように従来では錠剤の押し出し力によって破れて凹部が開口するようにアルミニウム箔が使用されているのであるが、全ての錠剤を取り出した後のシート状成形体の裏面には少なくとも凹部以外の部分でアルミニウム箔が残った状態で付着しており、消費者が分別排出処理を行なう際、シート状成形体を構成する合成樹脂材料と裏面のアルミニウム箔との分別が非常に困難であるという問題があった。
【０００５】
【発明が解決しようとする課題】
本発明はこのような課題を解決するもので、合成樹脂材料からなるシート状成形体の裏面にアルミニウム箔を使用せず、合成樹脂材料からなるフィルムを使用することにより、消費者による分別排出処理を容易に行なえるようにすることを目的とするものである。
【０００６】
【課題を解決するための手段】
この課題を解決するために本発明は、合成樹脂材料からなるシート状成形体に熱成形により形成され表面側に突出する多数の膨らみ部を備え、多数の各膨らみ部の内側の凹部に被収納物を入れた状態でシート状成形体裏面の凹部の開口部を閉じるように合成樹脂材料からなる積層フィルムを使用してこの積層フィルムをシート状成形体に対し小さな接合力で剥離可能に接合し、前記各凹部の開口部を囲む位置で積層フィルムの裏面側より積層フィルムを厚み方向に貫通するがシート状成形体を厚み方向に貫通しないように切り込みを形成し、この切り込みで囲まれた積層フィルム部分の外周はシート状成形体の開口部の外周近傍部分に接合されていることを要旨とするものである。
【０００７】
この構成により、合成樹脂材料からなるシート状成形体の裏面に合成樹脂材料からなる積層フィルムを使用してこの積層フィルムをシート状成形体に対し小さな接合力で剥離可能に接合し、前記積層フィルムに錠剤などの被収納物を収納する各凹部の開口部を囲む位置で積層フィルムの裏面側より積層フィルムを厚み方向に貫通するがシート状成形体を厚み方向に貫通しないように切り込みを形成し、この切り込みで囲まれた積層フィルム部分の外周はシート状成形体の開口部の外周近傍部分に接合されていることにより、シート状成形体の表面側の膨らみ部を指で押して凹部内部の被収納物を前記切り込みで囲まれた積層フィルム部分側に押し付けることにより、その力によって切り込みで囲まれた積層フィルム部分の外周とシート状成形体の開口部の外周近傍部分との接合部が剥離し、その結果開口部が開いて凹部より被収納物を取り出すことができる。このように本発明は、シート状成形体の裏面に接合されるフィルムがアルミニウム箔ではなく、合成樹脂材料からなる積層フィルムであるので、消費者による分別排出処理を容易に行なえるようにすることができる。
【０００８】
【発明の実施の形態】
以下、本発明の実施の形態について、図面に基づいて説明する。
先ず、図１〜図４に示す第１の実施の形態について説明すると、１は透明な合成樹脂材料として例えばポリプロピレンを材料として作られ熱成形により表面側に厚み９０μｍ程度の多数の膨らみ部２が形成され膨らみ部２以外のフラットな部分は厚み２００μｍ程度のシート状成形体で、このシート状成形体１の前記多数の各膨らみ部２の内側の凹部３に外周が円形の錠剤４を入れた状態でシート状成形体１裏面の凹部３の開口部５を閉じるようにシート状成形体１裏面全体に亘って合成樹脂の積層フィルム６がヒートシールにより装着されている。前記積層フィルム６は厚み１２μｍ程度の透明蒸着ポリエチレンテレフタレートフィルム層６ａと、このフィルム層６ａにドライラミネートにより剥離強度２．０Ｎ／ｃｍ以上の大きな接合力で接合された厚み３０μｍ程度の透明なエチレン酢酸ビニル共重合体樹脂とオレフィン樹脂とのブレンド材料からなるフィルム層６ｂとからなり、このフィルム層６ｂが前記シート状成形体１の裏面側に向くように積層フィルム６をシート状成形体１に重ねてヒートシール面が界面剥離可能にヒートシールにより装着されている。詳しくは、フィルム層６ｂとシート状成形体１とはヒートシール強度１．０Ｎ／ｃｍ〜１３．０Ｎ／ｃｍ程度の小さな接合力で接合されている。なお、積層フィルム６に透明蒸着ポリエチレンテレフタレートフィルム層６ａを備えるのは凹部３の内部への湿気の浸入防止効果やガスバリヤー効果を得るためである。シート状成形体１についてはポリプロピレンを材料として作られていて厚みが大きいため、凹部３の内部への湿気の浸入防止効果発揮する。なお、このシート状成形体１にガスバリヤー性を必要とする場合には、ガスバリヤー効果のある材料からなるフィルム層を設けるなどすれば良い。
【０００９】
以上のようにシート状成形体１に積層フィルム６を接合した状態で、各開口部５を囲む位置で積層フィルム６の裏面側より積層フィルム６を厚み方向に貫通するがシート状成形体１を厚み方向に貫通しないように円形の切り込み７が形成される。積層フィルム６にはこのような切り込み７が形成されているが、この切り込み７で囲まれた積層フィルム部分６ｃのフィルム層６ｂの外周はシート状成形体１の開口部５の外周近傍部分５ａに接合されているので、切り込み７で囲まれた積層フィルム部分６ｃに押すなどの外力を与えない限り切り込み７で囲まれた積層フィルム部分６ｃはシート状成形体１の開口部５を閉じた状態で外れないようになっている。
【００１０】
上記構成の包装体の凹部３より錠剤４を取り出すときは、シート状成形体１の表面側の膨らみ部２を指で押して凹部３内部の錠剤４を前記切り込み７で囲まれた積層フィルム部分６ｃ側に押し付けることにより、その力によって切り込み７で囲まれた積層フィルム部分６ｃの外周とシート状成形体１の開口部５の外周近傍部分５ａとの接合部が剥離し、その結果開口部５が開いて凹部３より錠剤４を取り出すことができる。
【００１１】
次に、図５および図６に示す第２の実施の形態について説明すると、１１は透明な合成樹脂材料として例えばポリプロピレンを材料として作られ熱成形により表面側に厚み９０μｍ程度の多数の膨らみ部１２が形成され膨らみ部１２以外のフラットな部分は厚み２００μｍ程度のシート状成形体で、このシート状成形体１１の前記多数の各膨らみ部１２の内側の凹部１３に外周が円形の錠剤１４を入れた状態でシート状成形体１１裏面の凹部１３の開口部１５を閉じるようにシート状成形体１１裏面全体に亘って合成樹脂の積層フィルム１６がヒートシールにより装着されている。前記積層フィルム１６は厚み１２μｍ程度の透明蒸着ポリエチレンテレフタレートフィルム層１６ａと、このフィルム層１６ａにドライラミネートにより接合された厚み３０μｍ程度のポリエチレンフィルム層１６ｂと、このフィルム層１６ｂに共押し出しによるラミネートにより接合された厚み３０μｍ程度の透明なエチレン酢酸ビニル共重合体樹脂とオレフィン樹脂とのブレンド材料からなるフィルム層１６ｃとから構成される。そして、このフィルム層１６ｃがシート状成形体１１裏面全体に亘って装着されることにより、予め錠剤１４を入れたシート状成形体１１裏面の凹部１３の開口部１５を閉じられる。ところで、前記フィルム層１６ａとフィルム層１６ｂとの間およびフィルム層１６ｂとフィルム層１６ｃとの間はそれぞれ剥離強度２．０Ｎ／ｃｍ以上の大きな接合力で接合されているのに対し、前記フィルム層１６ｃはシート状成形体１に対してヒートシール強度１．０Ｎ／ｃｍ〜１３．０Ｎ／ｃｍ程度の小さな接合力で界面剥離可能にヒートシールにより接合されている。
【００１２】
以上のようにシート状成形体１１に積層フィルム１６を接合した状態で、各開口部１５を囲む位置で積層フィルム１６の裏面側より積層フィルム１６を厚み方向に貫通するがシート状成形体１１を厚み方向に貫通しないように円形の切り込み１７が形成される。積層フィルム１６にはこのような切り込み１７が形成されているが、この切り込み１７で囲まれた積層フィルム部分１６ｄの外周、詳しくは切り込み１７で囲まれたフィルム層１６ｃの外周はシート状成形体１１の開口部１５の外周近傍部分１５ａに接合されているので、切り込み１７で囲まれた積層フィルム部分１６ｄに押すなどの外力を与えない限り切り込み１７で囲まれた積層フィルム部分１６ｄはシート状成形体１１の開口部１５を閉じた状態で外れないようになっている。
【００１３】
上記構成の包装体の凹部１３より錠剤１４を取り出すときは、シート状成形体１１の表面側の膨らみ部１２を指で押して凹部１３内部の錠剤１４を前記切り込み１７で囲まれた積層フィルム部分１６ｄ側に押し付けることにより、その力によって切り込み１７で囲まれた積層フィルム部分１６ｄのフィルム層１６ｃの外周とシート状成形体１１の開口部１５の外周近傍部分１５ａとの接合部が剥離し、その結果開口部１５が開いて凹部１３より錠剤１４を取り出すことができる。
【００１４】
ところで、以上述べた２つの実施の形態において切り込み７および切り込み１７の形状は円形であるが、図７（ａ）に示すようなＵ字形および図７（ｂ）に示すような外周の一部が不連続な円形であっても良い。また、前記錠剤の形状が円形でないものもあり、その場合前記切り込みの形状を錠剤の形状に合わせて決めるようにすれば良い。また、包装体に収納されるものとしては、前述のような錠剤の他に、ラムネやチョコレートなどの粒状の菓子などであっても良い。
【００１５】
また、前記シート状成形体１，１１と積層フィルム６，１６との接合を界面剥離可能にヒートシールにより行なっているが、凝集剥離もしくは層間剥離可能に接合させるようにすれば良く、その場合シート状成形体１，１１と、このシート状成形体１，１１に重なる積層フィルム６，１６のフィルム層の材料を適宜選択すれば良い。
【００１６】
さらに、前記積層フィルム６，１６の中に、紙製のシートをサンドイッチ状に挟んで介在させるようにしても良い。
【００１７】
【発明の効果】
以上のように本発明によれば、合成樹脂材料からなるシート状成形体の裏面に合成樹脂材料からなる積層フィルムを使用してこの積層フィルムをシート状成形体に対し小さな接合力で剥離可能に接合し、前記積層フィルムに錠剤などの被収納物を収納する各凹部の開口部を囲む位置で積層フィルムの裏面側より積層フィルムを厚み方向に貫通するがシート状成形体を厚み方向に貫通しないように切り込みを形成し、この切り込みで囲まれた積層フィルム部分の外周はシート状成形体の開口部の外周近傍部分に接合されていることにより、シート状成形体の表面側の膨らみ部を指で押して凹部内部の被収納物を前記切り込みで囲まれた積層フィルム部分側に押し付けることにより、その力によって切り込みで囲まれた積層フィルム部分の外周とシート状成形体の開口部の外周近傍部分との接合部が剥離し、その結果開口部が開いて凹部より被収納物を取り出すことができる。このように本発明は、シート状成形体の裏面に接合されるフィルムがアルミニウム箔ではなく、合成樹脂材料からなる積層フィルムであるので、消費者による分別排出処理を容易に行なえるようにすることができる。
【図面の簡単な説明】
【図１】本発明の第１の実施の形態における包装体の斜視図である。
【図２】同包装体の要部拡大断面図である。
【図３】同包装体の要部拡大裏面図である。
【図４】同包装体より錠剤を取り出す状態を示す要部拡大断面図である。
【図５】本発明の第２の実施の形態における包装体の要部拡大断面図である。
【図６】同包装体より錠剤を取り出す状態を示す要部拡大断面図である。
【図７】（ａ）および（ｂ）は積層フィルムに形成される切り込みの変形例を示す説明図である。
【符号の説明】
１                      シート状成形体
２                      膨らみ部
３                      凹部
４                      錠剤
５                      開口部
５ａ                    外周近傍部分
６                      積層フィルム
６ａ，６ｂ              フィルム層
６ｃ                    積層フィルム部分
７                      切り込み
１１                      シート状成形体
１２                      膨らみ部
１３                      凹部
１４                      錠剤
１５                      開口部
１５ａ                    外周近傍部分
１６                      積層フィルム
１６ａ，１６ｂ，１６ｃ    フィルム層
１６ｄ                    積層フィルム部分
１７                      切り込み
【図１】
0003935677.tif 000002
【図２】
0003935677.tif 000003
【図３】
0003935677.tif 000004
【図４】
0003935677.tif 000005
【図５】
0003935677.tif 000006
【図６】
0003935677.tif 000007
【図７】
0003935677.tif 000008